(57)【特許請求の範囲】
【請求項１】
測定対象の任意の箇所に装着される装着ベルトと、
当該装着ベルトの内側に形成され、当該測定対象に接触する電極と、
前記装着ベルトに取付けられ予め当該測定対象に固有の第１識別データを記憶する記憶手段と、
前記記憶手段に記憶された前記第１識別データを前記電極を介して送信する送信手段と、
当該測定対象が他の測定対象に接触することにより前記電極を介して前記他の測定対象から送信された第２識別データを受信する受信手段と、
前記受信手段により受信した前記第２識別データの受信レベルを測定する受信レベル測定手段と、
前記受信手段により受信した前記第２識別データ及び前記受信レベルを時系列な接触データとして前記記憶手段に記憶させる制御手段と、
前記接触データを外部制御装置に出力する出力手段と、
を備え、
前記受信レベルは、生体のインピーダンス特性によって決まる数値であり、
前記記憶手段は、前記測定対象と前記他の測定対象との接触様式を表す接触パターンごとに前記インピーダンス特性を記録することを特徴とする生体間接触データ測定装置。
【請求項２】
通信状態を送信モードまたは受信モードに交互に切り替える送受信切替手段と、
前記送受信切替手段による切替タイミングを経時的に変化させる切替タイミング設定手段と、
を備えたことを特徴とする請求項１に記載の生体間接触データ測定装置。
【請求項３】
測定対象の任意の箇所に装着される装着ベルトと、
当該装着ベルトの内側に形成され、当該測定対象に接触する電極と、
前記装着ベルトに取付けられ予め当該測定対象に固有の第１識別データを記憶する記憶手段と、
前記記憶手段に記憶された前記第１識別データを前記電極を介して送信する送信手段と、
当該測定対象が他の測定対象に接触することにより前記電極を介して前記他の測定対象から送信された第２識別データを受信する受信手段と、
前記受信手段により受信した前記第２識別データの受信レベルを測定する受信レベル測定手段と、
前記受信手段により受信した前記第２識別データ及び前記受信レベルを時系列な接触データとして前記記憶手段に記憶させる制御手段と、
前記接触データを外部制御装置に出力する出力手段と、
を備え、
前記受信レベルは、生体のインピーダンス特性によって決まる数値であり、
送信信号の周波数を変化させる周波数変調手段と、
前記受信手段で受信された前記第２識別データと合わせて、前記周波数変調手段により周波数を変化させながら送信された前記第１識別データが受信された場合に、前記第１識別データが到達した前記他の測定対象までの距離を測定する距離測定手段と、
を備えたことを特徴とする生体間接触データ測定装置。
【請求項４】
測定対象の任意の箇所に装着される装着ベルトと、
当該装着ベルトの内側に形成され、当該測定対象に接触する電極と、
前記装着ベルトに取付けられ予め当該測定対象に固有の第１識別データを記憶する記憶手段と、
前記記憶手段に記憶された前記第１識別データを前記電極を介して送信する送信手段と、
当該測定対象が他の測定対象に接触することにより前記電極を介して前記他の測定対象から送信された第２識別データを受信する受信手段と、
前記受信手段により受信した前記第２識別データの受信レベルを測定する受信レベル測定手段と、
前記受信手段により受信した前記第２識別データ及び前記受信レベルを時系列な接触データとして前記記憶手段に記憶させる制御手段と、
前記接触データを外部制御装置に出力する出力手段と、
を備え、
前記受信レベルは、生体のインピーダンス特性によって決まる数値であり、
前記装着ベルトは、加速度センサを備え、
前記記憶手段は、前記加速度センサにより検出された加速度データを記憶し、
前記出力手段は、前記加速度データを前記第２識別データ及び前記受信レベルと共に前記接触データとして出力することを特徴とする生体間接触データ測定装置。
【請求項５】
前記装着ベルトは、外側の表面に発光部材を備え、
前記制御手段は、前記電極を介して前記第２識別データが入力された際に前記発光部材を発光させることを特徴とする請求項１乃至４の何れかに記載の生体間接触データ測定装置。
【請求項６】
前記制御手段は、前記第２識別データの受信レベルに応じて前記発光部材の発光強度と発光色、又は前記発光強度と発光・消灯の点灯パターンを調整することを特徴とする請求項５に記載の生体間接触データ測定装置。
【請求項７】
前記装着ベルトは、スピーカを備え、
前記制御手段は、前記電極を介して前記第２識別データが入力された際に前記スピーカより音を発することを特徴とする請求項１乃至６の何れかに記載の生体間接触データ測定装置。
【請求項８】
前記制御手段は、前記第２識別データの受信レベルに応じて異なる音を前記スピーカから発し、又は前記スピーカの音量を調整することを特徴とする請求項７に記載の生体間接触データ測定装置。
【請求項９】
複数の生体間接触データ測定装置であって、前記生体間接触データ測定装置の各々が測定対象の任意の箇所に装着される装着ベルトと、当該装着ベルトの内側に形成され、当該測定対象に接触する電極と、前記装着ベルトに取付けられ予め当該測定対象に固有の第１識別データを記憶する記憶手段と、前記記憶手段に記憶された前記第１識別データを前記電極を介して送信する送信手段と、当該測定対象が他の測定対象に接触することにより前記電極を介して前記他の測定対象から送信された第２識別データを受信する受信手段と、前記受信手段により受信した前記第２識別データの受信レベルを測定する受信レベル測定手段と、前記受信手段により受信した前記第２識別データ及び前記受信レベルを時系列な接触データとして前記記憶手段に記憶させる制御手段と、前記接触データを外部制御装置に出力する出力手段と、を備え、前記受信レベルは、生体のインピーダンス特性によって決まる数値である複数の生体間接触データ測定装置と、
前記複数の生体間接触データ測定装置により測定された接触データを分析する外部制御装置とを有する生体間接触データ測定システムであって、
前記外部制御装置は、
前記複数の生体間接触データ測定装置の出力手段により出力された前記接触データを格納する第１のデータベースと、
前記第１のデータベースに格納された前記接触データを分析し、前記接触データに含まれる接触回数、前記第２識別データの受信レベル及び／または加速度データに応じた当該測定対象と前記他の測定対象との接触方法を示す接触様式を分析する分析手段と、
前記分析手段により分析された分析結果を前記第１識別データ別に格納する第２のデータベースと、
前記第２のデータベースから読み出された各分析結果を表示させる表示手段と、
を備えたことを特徴とする生体間接触データ測定システム。
【請求項１０】
請求項１乃至８の何れかに記載された生体間接触データ測定装置を複数の測定対象に装着し、前記複数の測定対象同士が互いに接触と非接触とを繰り返すことで各測定対象に固有の前記１識別データを送受信させて各測定対象の接触データを前記生体間接触データ測定装置の記憶手段に記憶させ、前記記憶手段に記憶された各測定対象の接触データを外部制御装置に出力することを特徴とする生体間接触データ測定方法。
【請求項１１】
前記生体間接触データ測定装置を同一の測定対象の複数箇所に装着し、複数の前記生体間接触データ測定装置のそれぞれが前記第１識別データを送信すると共に、他の測定対象に装着された前記生体間接触データ測定装置から送信された前記第２識別データを受信することを特徴とする請求項１０に記載の生体間接触データ測定方法。
【請求項１２】
前記複数の測定対象に装着された複数の前記生体間接触データ測定装置は、複数の測定対象の接触の形態によって規定される任意のメッシュネットワークを形成し、前記複数の測定対象の接触位置に応じて前記メッシュネットワークを構成する親ノード又は子ノードとして機能すると共に、各ノードが前記複数の測定対象の動いた位置に応じて各測定対象間の接触関係が変化するのに伴って親ノード又は子ノードに切り替わり、且つ、変化する各接触データを記憶手段に時系列的に記憶させることを特徴とする請求項１０又は１１に記載の生体間接触データ測定方法。
【発明の詳細な説明】
【技術分野】
【０００１】
本発明は生体間接触データ測定装置及び生体間接触データ測定システムに係り、特に人体間あるいは人体と動物間の接触データを測定する生体間接触データ測定装置及び生体間接触データ測定システム及び生体間接触データ測定方法に関する。
【背景技術】
【０００２】
近年、コミュニケーションの技術として、携帯電話機や携帯情報端末機などによるインターネットを利用したソーシャルネットワーキングサービスが提案されている。一方、人間同士が直接的にコミュニケーションを図ることの重要性についても再認識されつつあり、そのための測定装置やシステムの開発が進められている。
【０００３】
例えば、通信機能付き電子機器が装着された複数の人間同士が互いに手と手を触れることで一方の人に装着された電子機器から送信された電気信号が他方の人に装着された電子機器に受信され、互いの情報を交換する情報交換システムがある（例えば、特許文献１参照）。
【０００４】
また、脳障害を持った子供を教育する施設、あるいは脳障害の子供を診療する病院などでは、同じ部屋に複数の子供を入れて、各人の言動を観察して教育方法や治療方法を研究している。
【０００５】
このような研究においては、各子供が協調せずに単独行動を行う場合が多く、子供同士で直接触れ合うことが少ない。ところが、遊びとして各子供に互いに触れ合うように指示すると、最初は離れていても互いに接触する回数が増えると共に、一緒に遊ぶように変化することもある。
【０００６】
このように、子供同士が触れ合う接触回数や接触様式（手と手の触れる方向や接触位置などの差違を分類したもの）などの接触データを蓄積することでより効率の良く教育方法や治療方法を研究することが可能になると共に、蓄積された接触データから新しい方法を見いだすことも可能であると考えられている。
【先行技術文献】
【特許文献】
【０００７】
【特許文献１】特開２０００−１８５１７４号公報
【発明の概要】
【発明が解決しようとする課題】
【０００８】
従来の特許文献１に記載された方法では、人と人とが手を結ぶ回数をカウントすることができるが、２人がどのような形で接触したかを判別することができないので、接触様式を判別してデータベース化することができず、例えば、複数の子供同士が鬼ごっこを行い、鬼になった子供が他の子供とどのように接触したかを測定することできないので、新しい教育方法や治療方法を研究する際の実験データを正確に得ることが難しかった。
【０００９】
また、複数の子供同士のそれぞれの動きが複雑で各人の動きに個性がある場合、各人の動きの差違（個体差）も測定できることが望まれている。
【００１０】
また、複数の子供同士がゲーム（例えば、各人が自由に動き回るようなゲーム）をすることで接触データを蓄積する方法が考えられている場合、新しいルールを考えることで、子供達の行動パターンが変化して接触様式も多様に変化することが推定されるものの、そのときの接触様式の変化を接触データとして取得することが難しかった。
【００１１】
そこで、本発明は上記事情に鑑み、上記課題を解決した生体間接触データ測定装置及び生体間接触データ測定システム及び生体間接触データ測定方法の提供を目的とする。
【課題を解決するための手段】
【００１２】
上記課題を解決するため、本発明は以下のような手段を有する。
（１）本発明は、測定対象の任意の箇所に装着される装着ベルトと、
当該装着ベルトの内側に形成され、当該測定対象に接触する電極と、
前記装着ベルトに取付けられ予め当該測定対象固有の識別データを時系列的に記憶する記憶手段と、
前記記憶手段に記憶された識別データを前記電極を介して任意の時間間隔毎に送信する送信手段と、
当該測定対象が他の測定対象に接触することにより前記電極を介して前記他の測定対象から送信された識別データを受信する受信手段と、
前記受信手段により受信した前記識別データの受信レベルを測定する受信レベル測定手段と、
前記受信手段により受信した前記識別データ及び前記受信レベルを時系列な接触データとして前記記憶手段に記憶させる制御手段と、
前記記憶手段に記憶させた接触データを外部制御装置に出力する出力手段と、
を備えたことを特徴とする。
（２）本発明は、さらに、通信状態を送信モードまたは受信モードに交互に切り替える送受信切替手段と、
前記送受信切替手段による切替タイミングを経時的に変化させる切替タイミング設定手段と、
前記送信モードのとき送信信号の周波数を変化させる周波数変調手段と、
前記周波数変調手段により周波数を変化させながら送信した識別データが到達した前記受信モードの他の生体間接触データ測定装置までの距離を測定する距離測定手段と、
を備えたことを特徴とする。
（３）本発明の前記装着ベルトは、加速度センサを備え、
前記記憶手段は、前記加速度センサにより検出された加速度データを時系列的に記憶し、
前記出力手段は、前記加速度データを前記識別データ及び前記受信レベルと共に前記接触データとして出力することを特徴とする。
（４）本発明の前記装着ベルトは、外側の表面に発光部材を備え、
前記制御手段は、前記電極を介して他の前記測定対象から送信された他の前記識別データが入力された際に前記発光部材を発光させることを特徴とする。
（５）本発明の前記制御手段は、前記他の識別データの受信レベルに応じて前記発光部材の発光強度及び発光色を調整することを特徴とする。
（６）本発明の前記装着ベルトは、スピーカを備え、
前記制御手段は、前記電極を介して他の前記測定対象者から送信された他の前記識別データが入力された際に前記スピーカより音を発することを特徴とする。
（７）本発明の前記制御手段は、前記他の識別データの受信レベルに応じて異なる音を前記スピーカから発することを特徴とする。
（８）本発明の前記制御手段は、前記識別データの受信レベルに応じた受信強度を判別し、当該判別結果に応じて前記発光部材の発光強度及び発光・消灯の点灯パターン、又は／及び前記スピーカの音量を調整する調整手段を有することを特徴とする。
（９）本発明は、（１）乃至（８）の何れかに記載された複数の生体間接触データ測定装置と、前記複数の生体間接触データ測定装置により測定された接触データを分析する外部制御装置とを有する生体間接触データ測定システムであって、
前記外部制御装置は、
前記複数の生体間接触データ測定装置の出力手段により出力された接触データを格納する第１のデータベースと、
前記第１のデータベースに格納された複数の識別データごとの各接触データを分析し、各接触データに含まれる接触回数、前記他の識別データの受信レベル及び／または加速度データに応じた当該測定対象と前記他の測定対象との接触方法を示す接触様式を分析する分析手段と、
前記分析手段により分析された分析結果を各識別データ別に格納する第２のデータベースと、
前記第２のデータベースから読み出された各分析結果を表示させる表示手段と、
を備えたことを特徴とする。
（１０）本発明は、（１）乃至（８）の何れかに記載された生体間接触データ測定装置を複数の測定対象に装着し、前記複数の測定対象同士が互いに接触と非接触とを繰り返すことで各測定対象の識別データを送受信させて各測定対象の接触データを前記生体間接触データ測定装置の記憶手段に記憶させ、前記記憶手段に記憶された各測定対象の接触データを外部制御装置に出力することを特徴とする。
（１１）本発明は、前記生体間接触データ測定装置を同一の測定対象の複数箇所に装着し、複数の前記生体間接触データ測定装置のそれぞれが前記識別データを送信すると共に、他の測定対象に装着された前記生体間接触データ測定装置から送信された識別データを受信することを特徴とする。
（１２）本発明の前記複数の測定対象に装着された複数の前記生体間接触データ測定装置は、複数の測定対象の接触の形態によって規定される任意のメッシュネットワークを形成し、前記複数の測定対象の接触位置に応じて前記メッシュネットワークを構成する親ノード又は子ノードとして機能すると共に、各ノードが前記複数の測定対象の動いた位置に応じて各測定対象間の接触関係が変化するのに伴って親ノード又は子ノードに切り替わり、且つ、変化する各接触データを記憶手段に時系列的に記憶させることを特徴とする。
【発明の効果】
【００１３】
本発明によれば、受信手段により受信した識別データ及び受信手段により受信した識別データの受信レベルを時系列な接触データとして記憶手段に時系列的に記憶させ、記憶手段に記憶させた接触データを外部制御装置に出力するため、外部制御装置において、取得した接触データを分析し、各測定対象者の接触様式、接触回数をデータベースに格納して各測定対象の行動に基づく症状や治療方法等を検討するための各測定対象ごとの検討資料を提供することができる。
また、送信モードまたは受信モードに交互に切り替える切替タイミングを経時的に変化させると共に、送信モードのとき送信信号の周波数を変化させて識別データが到達した生体間接触データ測定装置までの距離を測定するため、複数の測定対象が接触した際の生体間接触データ測定装置間の距離を自動的に測定することができる。
さらに、加速度センサにより得られる加速度データに基づいて各測定対象が接触したときの角度や動きなどを含む接触様式を正確に測定することが可能になり、測定データの信頼性をより高めることが可能になる。
【００１４】
また、測定対象が接触する接触様式に応じて発光部材の発光強度及び点灯パターン、又は／及びスピーカからの音を調整するため、本発明の生体間接触データ測定装置を用いることで可能になる新たなゲーム、例えば、当該生体間接触データ測定装置を装着した複数の測定対象が手を繋いだり、追いかけて他の測定対象に触れるといったゲームを楽しみながら各接触様式に対応した接触データを取得することが可能になる。
【図面の簡単な説明】
【００１５】
【図１】本発明による生体間接触データ測定装置の一実施例の使用状態を模式的に示す図である。
【図２Ａ】生体間接触データ測定装置を正面側からみた斜視図である。
【図２Ｂ】生体間接触データ測定装置を背面側からみた斜視図である。
【図３Ａ】生体間接触データ測定装置を装着した人同士の接触パターン１を示す図である。
【図３Ｂ】生体間接触データ測定装置を装着した人同士の接触パターン２を示す図である。
【図３Ｃ】生体間接触データ測定装置を装着した人同士の接触パターン３を示す図である。
【図３Ｄ】生体間接触データ測定装置を装着した人同士の接触パターン４を示す図である。
【図４】複数の人や動物との接触パターンを模式的に示す図である。
【図５Ａ】複数の人が互いに移動しながら接触する場合の行動パターン１を模式的に示す図である。
【図５Ｂ】複数の人が互いに移動しながら接触する場合の行動パターン２を模式的に示す図である。
【図５Ｃ】複数の人が互いに移動しながら接触する場合の行動パターン３を模式的に示す図である。
【図５Ｄ】複数の人が互いに移動しながら接触する場合の行動パターン４を模式的に示す図である。
【図５Ｅ】複数の人が互いに移動しながら接触する場合の行動パターン５を模式的に示す図である。
【図６Ａ】生体間接触データ測定装置の構成を示すブロック図である。
【図６Ｂ】生体間接触データ測定装置間の送受信切替タイミングを説明するためのタイムチャートである。
【図７】外部制御装置の構成を示すブロック図である。
【図８】生体間接触データ測定装置による接触データ測定の制御処理を説明するためのフローチャートである。
【図９】生体間接触データ測定装置における接触データの出力割り込み処理を説明するためのフローチャートである。
【図１０】外部制御装置の制御処理を説明するためのフローチャートである。
【発明を実施するための形態】
【００１６】
以下、図面を参照して本発明を実施するための形態について説明する。
【実施例１】
【００１７】
〔生体間接触データ測定装置の使用形態〕
本発明による生体間接触データ測定装置の一実施例の使用状態を模式的に示す図である。図１に示されるように、生体間接触データ測定装置１０は、例えば、各測定対象者の手首に装着されるように構成されている。生体間接触データ測定装置１０が装着された測定対象者同士が手１２と手１４を接触させた場合、２人の生体間接触データ測定装置１０間で予め登録された識別データ（ＩＤ）の送受信が行われる。
【００１８】
その際、一方の生体間接触データ測定装置１０の電極２０Ａ、２０Ａ’から送信された識別データは、手（人体）１２、１４を伝送路として送信されて他方の生体間接触データ測定装置１０の電極２０Ｂ、２０Ｂ’に受信される。このように一対の生体間接触データ測定装置１０は、人体を介して各測定対象者の識別データを送受信することが可能である。また、生体間接触データ測定装置１０は、受信した識別データを返信する機能も有しており、自分の識別データと相手の識別データとを合わせて送信する。これにより、生体間接触データ測定装置１０は、自ら送信した識別データを受信することで互いに接触したことを認識する。
【００１９】
生体間接触データ測定装置１０による生体間の通信方式としては、例えば、電波を人体に伝送する通信方式でも良いし、あるいは微弱な電流を人体に伝送する通信方式、あるいは電界を用いた通信方式でも良い。また、電波や電界を用いた通信方式の場合、伝送損失を軽減できると共に、例えば、だっこやおんぶ、腕組みといった様々な接触様式の接触データも測定することが可能になる。さらに、本実施例では、後述するように周波数の差違による信号伝播可能距離が異なる特性を用いた距離測定方法が用いられ、例えば、高周波５ＭＨｚ〜１０ＭＨｚの範囲で適宜周波数変調を行うことで一対の生体間接触データ測定装置１０間の距離を求める。
【００２０】
また、電波を用いた通信方式によれば、携帯電話機で採用された直交波周波数分割多重変調方式（ＯＦＤＭ（Orthogonal Frequency Division Multiplexing）変調方式）を採用できるので、各人体による周波数特性の変化を解消することができる。直交波周波数分割多重変調方式では、直交性を利用し、周波数軸上でのオーバーラップを許容することで複数の搬送波を一部重なりあいながらも互いに干渉することなく密に並べ、狭い周波数の範囲を効率的に利用した広帯域伝送が可能になる。尚、本実施例では、どの通信方式を用いても良いので、各通信方式から適宜選択しても良い。
【００２１】
また、人体を伝送路として利用する通信方式では、各人体が有するインピーダンスと一対の生体間接触データ測定装置１０の距離Ｌによって伝送損失が決まる。そのため、手１２と手１４の接触位置の違いによりインピーダンス特性及び距離Ｌが変化することから、２人の測定対象者の接触様式（測定対象者のどの部位にどのように接触したか）を判別することが可能になる。
〔生体間接触データ測定装置１０の構成〕
図２Ａは生体間接触データ測定装置１０を正面側からみた斜視図である。図２Ｂは生体間接触データ測定装置１０を背面側からみた斜視図である。図２Ａ及び図２Ｂに示されるように、生体間接触データ測定装置１０は、測定対象者の手首あるいは肘、腕などの任意の部位に装着される装着ベルト３０と、装着ベルト３０に保持された測定ユニット４０と、装着ベルト３０の外側表面に取付けられた複数の発光部材５０とを有する。
装着ベルト３０は、装着脱操作が簡単に行えるように各端部の表面にマジックテープ（登録商標）３２，３４が設けられている。発光部材５０は、例えば、発光ダイオードからなり、受信した識別データの信号レベルの強さ（電圧値）に応じて任意の発光強度、点灯パターン、発光色が切り替えられる。
【００２２】
測定ユニット４０は、下面に識別データを送受信するための一対の電極２０が設けられている。また、測定ユニット４０の上面には、タッチパネル４２が設けられている。タッチパネル４２は、送受信された識別データを記号で表示する表示装置と、各種操作釦（スタート釦、停止釦、モード選択釦など）を表示する入力装置として機能する。尚、タッチパネル４２は、測定ユニット４０に設けても良いし、あるいは測定ユニット４０の代わりに複数のマイクロスイッチを設ける構成としても良いのは勿論である。
複数の発光部材５０は、発光ダイオード（ＬＥＤ：Light Emitting Diode）よりなり、他の測定対象者からの識別データを受信した際、発光して接触されたことを報知する。また、接触状態が継続している場合、各発光部材５０は接触時間の経過と共に、発光色を徐々に変化させることで、測定対象者同士が接触状態を継続していることを周囲の人たちに報知する。
【００２３】
尚、生体間接触データ測定装置１０によって、発光色が異なるように設定してあり、例えば、男性は緑色に発光し、女性は赤色に発光する。そして、男性と女性が接触した状態が継続されると、両者の生体間接触データ測定装置１０は、発光部材５０の発光色を中間色である黄色に変化させて両者の接触状態が継続していることを表示する。また、発光部材５０を発光させる際は、接触データの受信レベルに応じて発光強度、発光・消灯の点灯パターンを適宜変更させることも可能である。
〔接触様式について〕
接触様式とは、測定対象者同士がどのような形で接触したかを区別するため、接触パターンごとのインピーダンス特性を測定してメモリ及びデータベースに登録する。
【００２４】
図３Ａに示されるように、接触パターン１は、二人の測定対象者の手１２、１４が握手した場合で、一対の生体間接触データ測定装置１０、１０間の距離ＬＡのときのインピーダンスＺ１を測定し、生体間接触データ測定装置１０のメモリ及びデータベースに時系列的に記憶させる。
【００２５】
図３Ｂに示されるように、接触パターン２は、測定対象者同士の二つの手１２、１４の指先が接触した場合で、一対の生体間接触データ測定装置１０、１０間の距離ＬＢのときのインピーダンスＺ２を測定し、生体間接触データ測定装置１０のメモリ及びデータベースに時系列的に記憶させる。
【００２６】
図３Ｃに示されるように、接触パターン３は、一方の測定対象者の肘１６に他方の測定対象者の手１４が接触した場合で、一対の生体間接触データ測定装置１０、１０間の距離ＬＣ（＝Ｌ１+Ｌ２）のときのインピーダンスＺ３を測定し、生体間接触データ測定装置１０のメモリ及びデータベースに時系列的に記憶させる。
【００２７】
図３Ｄに示されるように、接触パターン４は、一方の測定対象者の肩１８に他方の測定対象者の手１４が接触した場合で、一対の生体間接触データ測定装置１０、１０間の距離ＬＣ（＝Ｌ１+Ｌ２+Ｌ３）のときのインピーダンスＺ４を測定し、生体間接触データ測定装置１０のメモリ及びデータベースに時系列的に記憶させる。
【００２８】
このように、各接触パターン毎のインピーダンス特性をメモリやデータベースに予め登録しておくことにより、各測定対象者の接触パターンを容易に判別することが可能になる。尚、接触パターンの種類としては、上記接触パターン１〜４に限らず、他の接触パターンを登録しておくことで、判別可能な接触パターンの種類を２０〜３０種に増加させることが可能であり、よりきめ細かな接触パターンが判別可能になる。従って、相手から送信された識別データの受信レベル（受信強度）を測定し、受信レベル（測定値）と各インピーダンス特性毎の閾値と比較することで、接触パターンの判別が可能になる。
〔複数の側手対象者の接触パターンについて〕
図４に示されるように、例えば、測定対象としての３人の測定対象者Ｎ１〜Ｎ３は、両手首に生体間接触データ測定装置１０が装着されている。そして、各測定対象者Ｎ１〜Ｎ３が夫々手を繋ぐゲームで遊ぶ場合、手を繋ぐときに各生体間接触データ測定装置１０間で識別データの送受信が行われる。その際、生体間接触データ測定装置１０の制御装置は、後述する制御処理を行なって手を繋いだ人の識別データを取得すると共に、自分の識別データを相手に送信する。
【００２９】
また、各測定対象者Ｎ１〜Ｎ３の両手首に装着された各生体間接触データ測定装置１０は、右手首に装着されたものと左手首に装着されたものとで伝搬経路の距離Ｌが異なる。そこで、本発明では、送信される高周波信号の周波数によって到達距離が異なることを利用して周波数変調を行うことで一方の生体間接触データ測定装置１０から他方の生体間接触データ測定装置１０までの距離を測定する。従って、周波数変調を行いながら送受信を繰り返すことで、左右どちらの手首の生体間接触データ測定装置１０に受信された識別データかを判別することできる。
【００３０】
例えば、測定対象者Ｎ１〜Ｎ３が一列になって手を繋ぐと、隣りの人の識別データを相互に送受信すると共に、測定対象者Ｎ１とＮ３との間では中間の測定対象者Ｎ２を介して識別データの送受信が行われる。尚、図４では、各測定対象者Ｎ１〜Ｎ３が互いに手と手とを接触させる場合を一例として示しているが、各人の接触様式としては、これに限らず、前述したように肘や肩、背中、腰、足など身体のどの部位に接触しても良い。
【００３１】
また、犬Ｄ（測定対象）の首に生体間接触データ測定装置１０が装着されることで、測定対象者Ｎ３が犬Ｄの頭部に接触すると、犬Ｄの識別データが送受信される。そのため、手を繋いだ測定対象者Ｎ１〜Ｎ３の各生体間接触データ測定装置１０と犬Ｄに装着された生体間接触データ測定装置１０との間で識別データの送受信が行われる。
【００３２】
各測定対象者Ｎ１〜Ｎ３に接触方法等のルールを与えることで、各人の相対位置を変化させながら他の測定対象者に接触したり、犬Ｄに接触したり、様々な接触パターンが行われ、各測定対象者Ｎ１〜Ｎ３と犬Ｄの動作に応じた接触データをリアルタイムで測定することが可能になる。
【００３３】
このように、各々が生体間接触データ測定装置１０を装着することにより、複数の測定対象者Ｎ１〜Ｎ３及び犬Ｄとの接触回数や接触様式などの接触データを測定して記録することが可能になる。また、犬以外の動物をペットとして飼っている場合、例えば、猫やハムスターやポニー（小さい馬）などに生体間接触データ測定装置１０を装着することで、犬以外のペットを測定対象として、ペットとの接触様式や接触回数などの接触データも測定して記録することができる。
〔メッシュネットワークの形成〕
次に複数の測定対象者Ｎ１〜Ｎ５が自由に移動しながら接触してメッシュネットワークを形成する場合について説明する。
【００３４】
図５Ａに示されるように、測定対象者Ｎ１〜Ｎ５が同じ部屋にいる場合、通常は、互いに接触しない状態でいることが多い。尚、図５Ａ〜図５Ｅにおいて、各測定対象者Ｎ１〜Ｎ５を「○」で表わし、各測定対象者Ｎ１〜Ｎ５の腕を「○」の外周から半径方向に伸びる「−」で表わし、且つ各測定対象者Ｎ１〜Ｎ５の手を「・」で表わしている。
【００３５】
各測定対象者Ｎ１〜Ｎ５が非接触状態では、各測定対象者Ｎ１〜Ｎ５に装着された生体間接触データ測定装置１０は、識別データの送受信を行っていない。ここで、観察者は、測定対象者Ｎ１〜Ｎ５に対して一つのルールを与える。例えば、隣りの人と手を繋ぐように指示して、２人ずつのグループを作らせる。
【００３６】
図５Ｂに示されるように、例えば、測定対象者Ｎ１とＮ２が手を繋ぎ、他の測定対象者Ｎ４とＮ５が手を繋ぐ。そして、測定対象者Ｎ３は、誰とも手を接触させない。この状態では、手を繋いだ測定対象者Ｎ１とＮ２の各生体間接触データ測定装置１０が識別データの送受信を行って受信した識別データを時系列的に記憶する。また、別の測定対象者Ｎ４とＮ５の各生体間接触データ測定装置１０が識別データの送受信を行って受信した識別データを時系列的に記憶する。測定対象者Ｎ３の生体間接触データ測定装置１０は、識別データの送受信を行わない。各生体間接触データ測定装置１０は、発光部材５０を有するため、他の識別データを受信すると共に、発光部材５０を発光して周囲の人に接触していることを表示する。これにより、各測定対象者Ｎ１〜Ｎ５は、手を繋いだ人と繋いでいない人とを視覚的に認識することができるので、よりゲーム感覚で楽しみながら接触ゲームに参加することができる。
【００３７】
ここで、観察者は、例えば、手を繋いだ人が、手を繋がない人を追いかけて捕まえてと指示して、ルールを変化させる。
【００３８】
すると、測定対象者Ｎ１〜Ｎ５は、図５Ｃに示されるように、測定対象者Ｎ３が逃げて、他の測定対象者Ｎ１、Ｎ２、Ｎ４、Ｎ５は手を繋いだまま、測定対象者Ｎ３を追いかけて捕まえる。このときの各測定対象者Ｎ１〜Ｎ５の動きと、接触状態の変化は、生体間接触データ測定装置１０の発光部材５０の発光強度、点灯パターン、発光色とスピーカからの音量によって表わされ、各測定対象者Ｎ１〜Ｎ５が動きながら眼と耳で反応して接触と非接触とを繰り返す。従って、測定対象者が聴力の弱い人、あるいは視力の弱い人でもゲームに参加することができる。
さらに、観察者は、測定対象者Ｎ１〜Ｎ５に対して全員が手を繋ぐように指示してルールを変える。すると、各測定対象者Ｎ１〜Ｎ５は、図５Ｄに示されるように、接触していない手同士を接触させようとして輪になる。測定対象者Ｎ１〜Ｎ５に装着された各生体間接触データ測定装置１０は、各測定対象者を介して自分が送信した識別データを受信することで、各測定対象者Ｎ１〜Ｎ５が輪になったことを認識し、そのデータをメモリに時系列的に記録する。
【００３９】
また、図５Ｅに示されるように、１０人の測定対象者Ｎ１〜Ｎ１０に生体間接触データ測定装置１０を装着して各人が自由にグループを形成することを指示すると、複数のグループに分散して互いに接触と非接触とを繰り返しながら、接触パターンを変化させる。
【００４０】
このように複数の測定対象者が動きながら接触と非接触を行うことで各人に装着された生体間接触データ測定装置１０は、メッシュネットワークＭＮを形成する。メッシュネットワークＭＮでは、各測定対象者の生体間接触データ測定装置１０が親ノード（送信側）と子ノード（受信側）に入れ替わりながら識別データを送受信することになる。
【００４１】
従って、本発明の生体間接触データ測定方法では、複数の測定対象者Ｎ１〜Ｎ１０に装着された複数の生体間接触データ測定装置１０が、複数の測定対象者Ｎ１〜Ｎ１０の接触の形態によって規定される任意のメッシュネットワークＭＮを形成する。そのため、複数の測定対象者Ｎ１〜Ｎ１０に装着された各生体間接触データ測定装置１０は、接触位置に応じてメッシュネットワークＭＮを構成する親ノード又は子ノードとして機能すると共に、各ノードが複数の測定対象者Ｎ１〜Ｎ１０の動いた位置に応じて各測定対象間の接触関係が変化するのに伴って親ノード又は子ノードに切り替わると共に、変化する各接触データをデータベース（記憶手段）に時系列的に記憶させる。
【００４２】
このように、生体間接触データ測定装置１０を用いることで可能になる新たなゲーム、例えば、当該生体間接触データ測定装置１０を装着した複数の測定対象が手を繋いだり、追いかけて他の測定対象に触れるといったゲームを楽しみながら各接触様式に対応した接触データを取得することが可能になる。
〔生体間接触データ測定装置１０の構成〕
図６Ａは生体間接触データ測定装置１０の構成を示すブロック図である。図６Ａに示されるように、生体間接触データ測定装置１０は、発光部材（ＬＥＤ）５０と、制御装置６０と、加速度センサ６２と、メモリ７０と、スピーカ８０と、出力部９０と、バッテリ１９０とを有する。
制御装置６０は、制御回路１００と、切替タイミング設定部１１０と、送受信切替部１２０と、送信部１３０と、周波数変調部１４０と、受信部１５０と、周波数復調部１６０と、受信レベル測定部１６２と、距離測定部１６４と、光調整部１７０と、音調整部１８０とを有する。尚、制御装置６０は、生体間接触データ測定装置１０の測定ユニット４０に設ける構成としても良いし、あるいは手首にかかる装置質量を軽減したい場合には、測定ユニット４０と別体に設け、例えば、衣服のポケットや腰ベルトなどに保持させる構成としても良い。
【００４３】
加速度センサ６２は、装着ベルト３０に設けられ、測定対象者が手を動かして他の測定対象者に接触する際の加速度データを測定する。例えば、測定対象者が他の測定対象者に接触するための動作をゆっくりと行った場合、あるいは走りながら接触した場合、あるいは手を大きく伸ばして接触した場合など各動作毎の加速度データを予め測定してメモリやデータベースに登録する。これにより、測定された加速度データと登録された加速度データとを対比させて、当該測定者の動きをより正確に推定することが可能になる。よって、加速度センサにより得られる加速度データに基づいて各測定対象が接触したときの角度や動きなどを含む接触様式を正確に測定することが可能になり、測定データの信頼性をより高めることが可能になる。
【００４４】
メモリ（記憶手段）７０は、識別データの送受信及び、接触様式データの記録、接触した相手の生体間接触データ測定装置１０との距離の測定を行うための各制御プログラムと、予め入力された当該測定対象者の識別データと、他の生体間接触データ測定装置１０から受信した識別データ及び接触回数、接触日時、信号レベル（受信強度）などが時系列的に記憶されている。
スピーカ８０は、他の生体間接触データ測定装置１０から受信した識別データを受信した際、任意の音を発して当該測定対象者に報知する。
【００４５】
出力部９０は、外部制御装置にメモリ７０に蓄積された接触データ（他の生体間接触データ測定装置１０から受信した識別データ及び、接触様式データ、接触回数、接触日時、信号レベル（受信強度）、加速度データなど）を有線通信又は無線通信により送信する。尚、出力部９０は、電極２０と接続されることで、人体通信を用いて外部制御装置２００に接触データを送信させることも可能である。
【００４６】
制御回路１００は、メモリ７０に格納された各制御プログラムを実行するCPU（Central Processing Unit：中央演算処理装置）よりなる。
【００４７】
切替タイミング設定部（切替タイミング設定手段）１１０は、生体間通信を行う場合に他の生体間接触データ測定装置１０との間の信号伝搬経路が送信と受信とで兼用されるため、任意の時間間隔で送信モードと受信モードとを切り替える。図６Ｂに示されるように、例えば、測定対象者Ｎ１とＮ２の各送信モード、受信モードの継続時間ｔ１、ｔ２をランダムに変化させる。尚、図６Ｂにおいて、送受信状態を破線矢印で示している。
【００４８】
送受信の切替タイミングの設定方法としては、例えば、送信モードをｔ１＝１５msecに設定し、次の受信モードをｔ２＝４０msecに設定し、次の送信モードをｔ１＝２０msecに設定し、次の受信モードをｔ２＝３５msecに設定するといった具合に異なる時間間隔をランダムに設定する。尚、各モードの時間間隔としては、任意の時間間隔を設定することが可能であるので、各時間間隔を予め登録された任意のｎ段階に増加することにより、接触データの測定結果をよりきめ細かいデータとして蓄積することが可能になる。
【００４９】
このように、切替タイミング設定部１１０では、異なる時間間隔をランダムに切り替えることで一対の生体間接触データ測定装置１０の通信モードが同じにならないように経時的に送信モードと受信モードとの時間間隔をずらしている。そのため、一対の生体間接触データ測定装置１０では、通信モードが一時的に送信モードまたは受信モードで同じになっても、僅かな待ち時間でどちらか一方が送信モード、他方が受信モードあるいは一方が受信モード、他方が送信モードになって双方向で送受信可能となる。
【００５０】
送受信切替部（送受信切替手段）１２０は、切替タイミング設定部１１０により設定された時間間隔で送信モードまたは受信モードに切り替える。
【００５１】
送信部（送信手段）１３０は、メモリ７０に予め記憶された識別データ（ＩＤ）を電極２０へ送信する。また、送信部１３０では、測定対象者間の接触により受信部１５０が他の識別データを受信した場合、当該自分の識別データと受信部１５０で受信された他の識別データとを合わせて送信し、接触相手の生体間接触データ測定装置１０に当該接触相手の識別データを受信したことを知らせる。
【００５２】
周波数変調部１４０は、周波数によって人体を伝搬する距離が異なることを利用して接触した相手の生体間接触データ測定装置１０までの距離を測定するため、送信部１３０から送信される識別データの周波数を例えば５ＭＨｚ〜１０ＭＨｚの範囲で自動的に変調している。尚、人体を伝搬する識別データの伝搬距離は、例えば周波数が５ＭＨｚの場合の距離に比べて、周波数が１０ＭＨｚの場合の距離の方が長くなる。よって、人体を伝搬する周波数と伝搬距離との関係を予め測定することで、送受信された周波数に対応する送信側から受信側までの距離が求まる。尚、周波数の範囲としては、５ＭＨｚ〜１０ＭＨｚに限らないのは勿論である。
受信部１５０は、接触した相手の生体間接触データ測定装置１０から送信された識別データを電極２０を介して受信する。
【００５３】
周波数復調部１６０は、受信部１５０で受信した識別データの周波数が変調されているので、受信した識別データを元の周波数に復調する。
【００５４】
受信レベル測定部１６２は、周波数復調部１６０を介して復調された識別データの受信レベル（受信強度）を測定する。受信レベル測定部１６２により測定された識別データの受信レベルは、人体のインピーダンス特性によって決まる数値であるので、接触様式を判別するためのパラメータとして利用することができる。
距離測定部（距離測定手段）１６４は、周波数変調部１４０によって変調された周波数のうち接触した相手の生体間接触データ測定装置１０から返信された自分自身の識別データを受信することで、周波数に基づく距離を測定する。
【００５５】
光調整部１７０は他の識別データを受信したとき、発光部材５０を発光させ、発光強度及び発光・消灯の点灯パターンを調整する。また、光調整部１７０は、例えば、相互の接触により発光開始当初は発光強度を徐々に上げて明るくし、接触を止めることにより発光強度を徐々に減少させて消灯させる。また、接触後、予め設定された所定時間が経過すると、発光色を接触相手の発光色との中間色に変更すると共に、接触を止めることにより発光強度を徐々に減少させて消灯させても良い。
【００５６】
音調整部１８０は、他の識別データが受信されたとき、予め設定された任意の音をスピーカ８０より発生させる。また、音調整部１８０は、接触回数又は識別データの受信レベルに応じて異なる音あるいは音階を異ならせるように設定することも可能である。
【００５７】
バッテリ１９０は、充電式バッテリからなり、非使用時に充電される。
〔外部制御装置２００の構成〕
外部制御装置２００は、複数の生体間接触データ測定装置１０から提供された接触データを分析し、複数の生体間接触データ測定装置１０と共に生体間接触データ測定システムを構成する。また、外部制御装置２００は、携帯型端末装置を用いた場合には、測定対象者が所持することも可能であり、あるいはパーソナルコンピュータを用いた場合には、１０人以上の多数の生体間接触データ測定装置１０と通信ネットワークで接続されて大量の接触データを同時に測定することも可能になる。
【００５８】
図７に示されるように、外部制御装置２００は、制御部２１０と、入力部２２０と、第１のデータベース２３０と、分析部２４０と、第２のデータベース２５０と、表示装置２６０とを有する。
制御部２１０は、複数の生体間接触データ測定装置１０から入力部２２０に入力された各識別データ及び距離データ、接触様式データなどを接触データを第１のデータベース２３０に格納する。また、分析部（分析手段）２４０は、第１のデータベース２３０に格納された識別データ及び距離データ、接触様式データなどを各接触データの分析処理と行い、分析結果を第２のデータベース２５０に格納する。すなわち、分析部２４０は、第１のデータベース２３０に格納された複数の識別データごとの各接触データを分析し、各接触データに含まれる接触回数、他の識別データの受信レベル及び／または加速度データに応じた当該測定対象と他の測定対象との接触方法を示す接触様式を分析する。
【００５９】
制御部２１０は、第１のデータベース２３０及び第２のデータベース２５０に格納された各接触データ及び分析結果を表示装置２６０に表示する。観察者は、表示装置２６０に表示された分析結果から各測定対象者への指導方法や治療方法などを検討することができる。
〔接触データ測定の制御処理〕
図８は生体間接触データ測定装置１０による接触データ測定の制御処理を説明するためのフローチャートである。生体間接触データ測定装置１０の制御装置６０は、図８のＳ１１で送信モードと受信モードとの切替タイミングの設定処理を行う（切替タイミング設定手段）。送受信の切替タイミングは、前述した送信継続モード時間ｔ１、受信モード時間ｔ２を任意の時間に設定することにより適宜変更される。例えば、各モードの時間間隔T1=１５msec、T2=２０msec、・・・Tｎ=Ｘmsecなどの複数の時間データが予め登録されており、継続モード時間ｔ１、受信モード時間ｔ２をT1〜Tｎの何れかをランダムに選択することで切替タイミングを適宜変更する。
【００６０】
次のＳ１２では、予め設定された切替タイミングに達した時点で送信モードから受信モードへ、あるいは受信モードから送信モードへ切り替える（送受信切替手段）。
【００６１】
続いて、Ｓ１３では、現在の通信モードが送信モードか否かをチェックしており、送信モードの場合（ＹＥＳの場合）はＳ１４に進む。Ｓ１４では、送信部３０から送信される識別データの周波数を５ＭＨｚ〜１０ＭＨｚの範囲で自動的に変調する（周波数変調手段）。すなわち、識別データの周波数によって人体（または動物）を伝搬する距離が異なることから、識別データが相手の生体間接触データ測定装置１０に到達するまでの距離を変更するため、識別データの周波数を適宜変調する。
【００６２】
次のＳ１５では、送信部３０から変調された周波数の識別データを送信させる。これにより、例えば、当該測定対象者の手が他の測定対象者の手に接触している場合（図３Ａ〜図３Ｄ参照）、人体間を伝搬した識別データが相手の測定対象者の生体間接触データ測定装置１０に受信される。
【００６３】
Ｓ１６では、送信モードが終了したか否かをチェックしており、送信モードが終了していない場合（ＮＯの場合）、Ｓ１５の当該識別データの送信処理が繰り返される。また、Ｓ１６において、送信モードが終了した場合（ＹＥＳの場合）、今回の処理を終了してＳ１１の処理に戻る。
【００６４】
また、上記Ｓ１３において、現在の送信モードが受信モードの場合（ＮＯの場合）、Ｓ１７に進み、識別データを受信部１５０で受信したか否かをチェックする。Ｓ１７において、識別データを受信部１５０で受信した場合（ＹＥＳの場合）、Ｓ１８に進み、受信された識別データが当該測定対象者の識別データか否かをチェックする。
Ｓ１８において、受信された識別データが当該測定対象者の識別データである場合（ＹＥＳの場合）、Ｓ１９に進み、当該識別データの周波数から接触した相手の生体間接触データ測定装置１０までの距離Ｌ（図１参照）を演算し、演算結果をメモリ７０に時系列的に記憶させる（距離測定手段）。この後は、今回の処理を終了してＳ１１の処理に戻る。
【００６５】
また、上記Ｓ１８において、受信された識別データが他の測定対象者の識別データである場合（ＮＯの場合）、Ｓ２０に進み、受信した識別データを読み込んで時系列的な接触データとしてメモリ７０に時系列的に記憶させる。また、Ｓ２０では、識別データと共に、接触回数、距離データ、加速度センサ６２により測定された加速度データも接触データとしてメモリ７０に時系列的に記憶させる。
【００６６】
続いて、Ｓ２１では、受信した識別データの受信レベル（受信強度）を判定し、判定結果をメモリ７０に時系列的に記憶させる（受信レベル測定手段）。後述するように外部制御装置２００では、この受信レベルの判定結果に基づいて接触パターン（図３Ａ〜図３Ｄ参照）を判定することが可能になる。
【００６７】
そして、Ｓ２２に進み、受信レベルに応じて発光部材５０の発光強度及び発光色及び発光・消灯の点灯パターンを調整する。発光部材５０の発光強度及び発光色及び発光・消灯の点灯パターンの調整値は、予め受信レベルに応じた調整値がメモリ７０に登録されており、メモリ７０から受光レベルに対応した発光強度、点灯パターン及び発光色の調整値を抽出して発光部材５０に出力する。
【００６８】
次のＳ２３では、受信レベルに応じてスピーカ８０から発する音の種別及び音量を調整する。音の種別及び音量の調整値は、予め受信レベルに応じた調整値がメモリ７０に登録されており、メモリ７０から受光レベルに対応した発光強度及び発光色の調整値を抽出して発光部材５０に出力する。そして、Ｓ２４に進み、受信モードが設定された所定時間（時間間隔Ｔ１〜Ｔｎの何れか）が経過したか否かをチェックしており、所定時間が経過していないとき（ＮＯの場合）は上記Ｓ１７に戻り、Ｓ１７以降の処理を行う。また、Ｓ２４において、受信モードの所定時間（時間間隔Ｔ１〜Ｔｎの何れか）が経過したときは（ＹＥＳの場合）、今回の処理を終了してＳ１１の処理に戻る。
〔接触データの出力割り込み処理〕
図９は生体間接触データ測定装置１０における接触データの出力割り込み処理を説明するためのフローチャートである。図９のＳ３１では、外部制御装置２００からメモリ７０に蓄積された接触データの要求信号が入力されたか否かをチェックしており、データ要求信号が入力された場合（ＹＥＳの場合）、Ｓ３２に進み、メモリ７０に蓄積された各接触データ（識別データ、受信レベル、接触回数、距離データ、加速度データなど）を出力部９０から外部制御装置２００に有線または無線により送信する。尚、出力部９０は、人体通信を用いて外部制御装置２００に接触データを送信させることも可能である。
【００６９】
次のＳ３３では、メモリ７０をリセットするか否かをチェックしており、リセットの指示がある場合（ＹＥＳの場合）、Ｓ３４に進み、メモリ７０に蓄積された各接触データを消去する。また、Ｓ３３でリセットの指示がない場合（ＮＯの場合）、Ｓ３４の処理を省略する。
〔外部制御装置２００の制御処理〕
図１０は外部制御装置２００の制御処理を説明するためのフローチャートである。図１０に示されるように、外部制御装置２００は、Ｓ４１で各測定対象者に装着された複数の生体間接触データ測定装置１０に対して接触データの転送を要求するデータ要求信号を送信する。
【００７０】
次のＳ４２で所定の待機時間が経過したか否かをチェックし、所定の待機時間が経過するまでＳ４１によるデータ要求を行う。続いて、Ｓ４２において、所定の待機時間が経過した場合（ＹＥＳの場合）、Ｓ４３に進み、指定した全ての生体間接触データ測定装置１０から接触データの入力があったか否かをチェックする。Ｓ４３において、指定した全ての生体間接触データ測定装置１０から接触データが入力されていない場合（ＮＯの場合）、Ｓ４１に戻り、まだデータを送信していない生体間接触データ測定装置１０に対して接触データの転送を要求するデータ要求信号を送信する。
【００７１】
また、Ｓ４３において、全ての生体間接触データ測定装置１０から接触データが入力された場合（ＹＥＳの場合）、Ｓ４４に進み、各生体間接触データ測定装置１０から転送された接触データ（識別データ、受信レベル、接触回数、距離データ、加速度データなど）を第１のデータベース２３０に格納する。
【００７２】
続いて、Ｓ４５に進み、第１のデータベース２３０に格納された接触データ（識別データ、受信レベル、接触回数、距離データ、加速度データなど）を分析する（分析手段）。すなわち、Ｓ４５では、各接触データに含まれる接触回数、他の識別データの受信レベル及び／または加速度データに応じた当該測定対象と他の測定対象との接触方法を示す接触様式を分析し、各測定対象者の接触様式を判別する。
【００７３】
この接触データの分析処理では、人体のインピーダンス特性を利用して接触パターン（図３Ａ〜図３Ｄ）を判別すると共に、高周波の周波数変調により距離データを測定しているため、各測定対象者の接触様式を正確に判別することが可能になる。さらに、分析結果には加速度データが含まれているので、観察者は各測定対象者の動作速度も分かり、接触回数と共に、各測定対象者の行動特性をより正確に観察できる。
次のＳ４６では、分析結果（接触様式、接触回数、距離データ、加速度データ）を第２のデータベース２５０に格納する。続いて、Ｓ４７に進み、分析結果を表示装置２６０に表示させる。このように、表示装置２６０に各測定対象者の分析結果が表示されるため、観察者は各測定対象者の行動が分析結果から分かり、特に分析結果（接触様式、接触回数、距離データ、加速度データ）を数値化することで各測定対象者の性格やその変化を正確に把握できる。
【００７４】
次のＳ４８では、指定された全ての生体間接触データ測定装置１０から転送された接触データを分析したか否かをチェックしており、一部の接触データが分析されていない場合（ＮＯの場合）、上記Ｓ４４に戻り、Ｓ４４〜Ｓ４８の処理を繰り返す。
【００７５】
また、Ｓ４８において、全ての生体間接触データ測定装置１０から転送された接触データを分析が完了した場合、Ｓ４９に進み、分析結果に基づいて各生体間接触データ測定装置１０が形成するメッシュネットワークＭＮ（図５Ｅ参照）の模式図を作成する。続いて、Ｓ５０では、メッシュネットワークＭＮの模式図のデータを第２のデータベース２５０に格納すると共に、表示装置２６０にメッシュネットワークＭＮの模式図を表示させる。
【００７６】
観察者は、表示装置２６０に表示されたメッシュネットワークＭＮの模式図における各人の動きから複数の測定対象者の全体的な動きが分かり、各測定対象者の個性（例えば、速い動き、遅い動き、チームワーク、リーダシップ、協調性など）の変化を視覚的にチェックすることが可能になる。
【産業上の利用可能性】
【００７７】
上記実施例では、複数の測定対象者に生体間接触データ測定装置１０を装着して各測定対象者の行動に伴う接触様式や接触回数、加速度を測定する場合について説明したが、これに限らず、例えば、相撲、レスリング、柔道、サッカー、ラクビーなどのスポーツを行う場合に各選手の接触様式、接触回数を測定することも可能になる。
【符号の説明】
【００７８】
１０  生体間接触データ測定装置
１２、１４  手
１６  肘
１８  肩
２０、２０Ａ、２０Ａ’、２０Ｂ、２０Ｂ’  電極
３０  装着ベルト
４０  測定ユニット
４２  タッチパネル
５０  発光部材
６０  制御装置
６２  加速度センサ
７０  メモリ（記憶手段）
８０  スピーカ
９０  出力部
１００  制御回路
１１０  切替タイミング設定部（切替タイミング設定手段）
１２０  送受信切替部（送受信切替手段）
１３０  送信部（送信手段）
１４０  周波数変調部（周波数復調手段）
１５０  受信部（受信手段）
１６０  周波数復調部
１６２  受信レベル測定部（受信レベル測定手段）
１６４  距離測定部（距離測定手段）
１７０  光調整部
１８０  音調整部
１９０  バッテリ
２００  外部制御装置
２１０  制御部
２２０  入力部
２３０  第１のデータベース
２４０  分析部
２５０  第２のデータベース
２６０  表示装置
Ｎ１〜Ｎ５  測定対象者（測定対象）
Ｄ  犬（測定対象）
ＭＮ  メッシュネットワーク
【図１】
0005936024.tif 000002
【図２Ａ】
0005936024.tif 000003
【図２Ｂ】
0005936024.tif 000004
【図３Ａ】
0005936024.tif 000005
【図３Ｂ】
0005936024.tif 000006
【図３Ｃ】
0005936024.tif 000007
【図３Ｄ】
0005936024.tif 000008
【図４】
0005936024.tif 000009
【図５Ａ】
0005936024.tif 000010
【図５Ｂ】
0005936024.tif 000011
【図５Ｃ】
0005936024.tif 000012
【図５Ｄ】
0005936024.tif 000013
【図５Ｅ】
0005936024.tif 000014
【図６Ａ】
0005936024.tif 000015
【図６Ｂ】
0005936024.tif 000016
【図７】
0005936024.tif 000017
【図８】
0005936024.tif 000018
【図９】
0005936024.tif 000019
【図１０】
0005936024.tif 000020